【手続補正書】
【提出日】平成29年4月12日(2017.4.12)
【手続補正１】
【補正対象書類名】特許請求の範囲
【補正対象項目名】全文
【補正方法】変更
【補正の内容】
【特許請求の範囲】
【請求項１】
直交変調を使用するワイヤレス通信の方法であって、
ワイヤレス信号のための変調シーケンスの第１のセットを生成するために、シーケンスの順序付けされたセットにデータのセットを関連付けることと、
前記ワイヤレス信号のための変調シーケンスの第２のセットを生成するために、変調シーケンスの前記第１のセット内の各シーケンスに定数を付加することと、
前記ワイヤレス信号のための変調シーケンスの第３のセットを生成するために、直交シーケンスのセットに変調シーケンスの前記第２のセットの各々を関連付けることと、
前記ワイヤレス信号のための変調シーケンスの第４のセットを生成するために、変調シーケンスの前記第３のセット内の各シーケンスのエレメントを廃棄すること、および、擬似ランダム２進シーケンスのセットからのシーケンスに変調シーケンスの前記第３のセット内の各シーケンスの残りのエレメントを関連付けることと、
変調シーケンスの前記第４のセットを備える前記ワイヤレス信号を送信することと
を備える、方法。
【請求項２】
変調シーケンスの前記第３のセットを生成するために、変調シーケンスの前記第２のセットの各々にアダマール変換を適用すること
をさらに備える、請求項１に記載の方法。
【請求項３】
シーケンスの前記順序付けされたセット内の各シーケンスは、同じ数のエレメントを有する、請求項１に記載の方法。
【請求項４】
擬似ランダム２進シーケンスの前記セットは、サイクリックシフト不変シーケンスのセットを備える、請求項１に記載の方法。
【請求項５】
擬似ランダム２進シーケンスの前記セットは、最長シーケンスのセットを備える、請求項１に記載の方法。
【請求項６】
前記送信されたワイヤレス信号は、少なくとも１つのサイクリックプレフィックスを備える、請求項１に記載の方法。
【請求項７】
前記送信されたワイヤレス信号は、パイロット信号を備える、請求項１に記載の方法。
【請求項８】
チャネル推定のためのオフセットで前記パイロット信号を送信すること
をさらに備える、請求項７に記載の方法。
【請求項９】
シーケンスの前記順序付けされたセット内の各シーケンスは、２の累乗よりも１少ないものに等しいエレメントの数を備える、請求項１に記載の方法。
【請求項１０】
１より多いアンテナを使用して前記ワイヤレス信号を送信すること
をさらに備える、請求項１に記載の方法。
【請求項１１】
前記送信されたワイヤレス信号は、ブロードキャスト信号である、請求項１に記載の方法。
【請求項１２】
直交変調を使用するワイヤレス通信のための装置であって、
ワイヤレス信号のための変調シーケンスの第１のセットを生成するために、シーケンスの順序付けされたセットにデータのセットを関連付けるための手段と、
前記ワイヤレス信号のための変調シーケンスの第２のセットを生成するために、変調シーケンスの前記第１のセット内の各シーケンスに定数を付加するための手段と、
前記ワイヤレス信号のための変調シーケンスの第３のセットを生成するために、直交シーケンスのセットに変調シーケンスの前記第２のセットの各々を関連付けるための手段と、
前記ワイヤレス信号のための変調シーケンスの第４のセットを生成するために、変調シーケンスの前記第３のセット内の各シーケンスのエレメントを廃棄するための手段、および、擬似ランダム２進シーケンスのセットからのシーケンスに変調シーケンスの前記第３のセット内の各シーケンスの残りのエレメントを関連付けるための手段と、
変調シーケンスの前記第４のセットを備える前記ワイヤレス信号を送信するための手段と
を備える、装置。
【請求項１３】
変調シーケンスの前記第３のセットを生成するために、変調シーケンスの前記第２のセットの各々にアダマール変換を適用するための手段
をさらに備える、請求項１２に記載の装置。
【請求項１４】
シーケンスの前記順序付けされたセット内の各シーケンスは、同じ数のエレメントを有する、請求項１２に記載の装置。
【請求項１５】
擬似ランダム２進シーケンスの前記セットは、サイクリックシフト不変シーケンスのセットを備える、請求項１２に記載の装置。
【請求項１６】
直交変調を使用するワイヤレス通信のための装置であって、
プロセッサと、
前記プロセッサと電子通信するメモリと、
前記メモリに記憶された命令と
を備え、前記命令は、
ワイヤレス信号のための変調シーケンスの第１のセットを生成するために、シーケンスの順序付けされたセットにデータのセットを関連付けることと、
前記ワイヤレス信号のための変調シーケンスの第２のセットを生成するために、変調シーケンスの前記第１のセット内の各シーケンスに定数を付加することと、
前記ワイヤレス信号のための変調シーケンスの第３のセットを生成するために、直交シーケンスのセットに変調シーケンスの前記第２のセットの各々を関連付けることと、
前記ワイヤレス信号のための変調シーケンスの第４のセットを生成するために、変調シーケンスの前記第３のセット内の各シーケンスのエレメントを廃棄すること、および、擬似ランダム２進シーケンスのセットからのシーケンスに変調シーケンスの前記第３のセット内の各シーケンスの残りのエレメントを関連付けることと、
変調シーケンスの前記第４のセットを備える前記ワイヤレス信号を送信することと、
を行うように前記プロセッサによって実行可能である、装置。
【請求項１７】
変調シーケンスの前記第３のセットを生成するために、変調シーケンスの前記第２のセットの各々にアダマール変換を適用すること
を行うように実行可能である命令をさらに備える、請求項１６に記載の装置。
【請求項１８】
擬似ランダム２進シーケンスの前記セットは、最長シーケンスのセットを備える、請求項１６に記載の装置。
【手続補正２】
【補正対象書類名】明細書
【補正対象項目名】０１２６
【補正方法】変更
【補正の内容】
【０１２６】
[0122]  本明細書で説明される技法は、ＣＤＭＡ、ＴＤＭＡ、ＦＤＭＡ、ＯＦＤＭＡ、ＳＣ−ＦＤＭＡ、および他のシステムのような様々なワイヤレス通信システムのために使用され得る。「システム」および「ネットワーク」という用語は、しばしば区別なく使用される。ＣＤＭＡシステムは、ＣＤＭＡ２０００、ユニバーサル地上無線アクセス（ＵＴＲＡ）などのような無線技術を実施し得る。ＣＤＭＡ２０００は、ＩＳ−２０００、ＩＳ−９５、およびＩＳ−８５６規格をカバーする。ＩＳ−２０００リリース０およびＡは通常、ＣＤＭＡ２０００ １Ｘ、１Ｘ、などと呼ばれる。ＩＳ−８５６（ＴＩＡ−８５６）は通常、ＣＤＭＡ２０００ １ｘＥＶ−ＤＯ、高レートパケットデータ（ＨＲＰＤ）などと呼ばれる。ＵＴＲＡは、広帯域ＣＤＭＡ（ＷＣＤＭＡ（登録商標））および他の様々なＣＤＭＡを含む。ＴＤＭＡシステムは、モバイル通信のためのグローバルシステム（ＧＳＭ）（登録商標）のような無線技術を実施し得る。ＯＦＤＭＡシステムは、ウルトラモバイル帯域幅（ＵＭＢ）、発展型ＵＴＲＡ（Ｅ−ＵＴＲＡ）、ＩＥＥＥ ８０２．１１（Ｗｉ−Ｆｉ）、ＩＥＥＥ ８０２．１６（ＷｉＭａｘ）、ＩＥＥＥ ８０２．２０、Ｆｌａｓｈ−ＯＦＤＭなどのような無線技術を実施し得る。ＵＴＲＡおよびＥ−ＵＴＲＡは、ユニバーサルモバイル電気通信システム（ＵＭＴＳ）の一部である。３ＧＰＰ（登録商標）ロングタームエボリューション（ＬＴＥ）およびＬＴＥ−アドバンスト（ＬＴＥ−Ａ）は、Ｅ−ＵＴＲＡを使用するＵＭＴＳの新しいリリースである。ＵＴＲＡ、Ｅ―ＵＴＲＡ、ＵＭＴＳ、ＬＴＥ、ＬＴＥ−Ａ、およびＧＳＭは、「第３世代パートナーシッププロジェクト」（３ＧＰＰ）と名付けられた団体からの文書内で説明される。ＣＤＭＡ２０００およびＵＭＢは、「第３世代パートナーシッププロジェクト２」（３ＧＰＰ２）と名付けられた団体からの文書内で説明される。本明細書で説明される技法は、他のシステムおよび無線技術と同様に、上述されるシステムおよび無線技術について使用され得る。しかしながら、上記の説明は、例のためにＬＴＥシステムを説明しており、ＬＴＥの専門用語が上記の説明の大部分で使用されるが、技法はＬＴＥアプリケーション以外にも適用可能である。
以下に、本願の出願当初の特許請求の範囲に記載された発明を付記する。
［Ｃ１］
直交変調を使用する通信の方法であって、
変調シーケンスの第１のセットを生成するために、シーケンスの順序付けされたセットにデータのセットを関連付けることと、
変調シーケンスの第２のセットを生成するために、変調シーケンスの前記第１のセット内の各シーケンスに定数を付加することと、
変調シーケンスの第３のセットを生成するために、直交シーケンスのセットに変調シーケンスの前記第２のセットの各々を関連付けることと、
変調シーケンスの第４のセットを生成するために、変調シーケンスの前記第３のセット内の各シーケンスのエレメントを廃棄すること、および、擬似ランダム２進シーケンスのセットからのシーケンスに変調シーケンスの前記第３のセット内の各シーケンスの残りのエレメントを関連付けることと、
変調シーケンスの前記第４のセットを備える信号を送信することと
を備える、方法。
［Ｃ２］
変調シーケンスの前記第３のセットを生成するために、変調シーケンスの前記第２のセットの各々にアダマール変換を適用すること
をさらに備える、Ｃ１に記載の方法。
［Ｃ３］
シーケンスの前記順序付けされたセット内の各シーケンスは、同じ数のエレメントを有する、Ｃ１に記載の方法。
［Ｃ４］
擬似ランダム２進シーケンスの前記セットは、サイクリックシフト不変シーケンスのセットを備える、Ｃ１に記載の方法。
［Ｃ５］
擬似ランダム２進シーケンスの前記セットは、最長シーケンスのセットを備える、Ｃ１に記載の方法。
［Ｃ６］
前記送信された信号は、少なくとも１つのサイクリックプレフィックスを備える、Ｃ１に記載の方法。
［Ｃ７］
前記送信された信号は、パイロット信号を備える、Ｃ１に記載の方法。
［Ｃ８］
チャネル推定のためのオフセットで前記パイロット信号を送信すること
をさらに備える、Ｃ７に記載の方法。
［Ｃ９］
シーケンスの前記順序付けされたセット内の各シーケンスは、２の累乗よりも１少ないものに等しいエレメントの数を備える、Ｃ１に記載の方法。
［Ｃ１０］
１より多いアンテナを使用して前記信号を送信すること
をさらに備える、Ｃ１に記載の方法。
［Ｃ１１］
前記送信された信号は、ブロードキャスト信号である、Ｃ１に記載の方法。
［Ｃ１２］
直交変調を使用する通信のための装置であって、
変調シーケンスの第１のセットを生成するために、シーケンスの順序付けされたセットにデータのセットを関連付けるための手段と、
変調シーケンスの第２のセットを生成するために、変調シーケンスの前記第１のセット内の各シーケンスに定数を付加するための手段と、
変調シーケンスの第３のセットを生成するために、直交シーケンスのセットに変調シーケンスの前記第２のセットの各々を関連付けるための手段と、
変調シーケンスの第４のセットを生成するために、変調シーケンスの前記第３のセット内の各シーケンスのエレメントを廃棄するための手段、および、擬似ランダム２進シーケンスのセットからのシーケンスに変調シーケンスの前記第３のセット内の各シーケンスの残りのエレメントを関連付けるための手段と、
変調シーケンスの前記第４のセットを備える信号を送信するための手段と
を備える、装置。
［Ｃ１３］
変調シーケンスの前記第３のセットを生成するために、変調シーケンスの前記第２のセットの各々にアダマール変換を適用するための手段
をさらに備える、Ｃ１２に記載の装置。
［Ｃ１４］
シーケンスの前記順序付けされたセット内の各シーケンスは、同じ数のエレメントを有する、Ｃ１２に記載の装置。
［Ｃ１５］
擬似ランダム２進シーケンスの前記セットは、サイクリックシフト不変シーケンスのセットを備える、Ｃ１２に記載の装置。
［Ｃ１６］
直交変調を使用する通信のための装置であって、
プロセッサと、
前記プロセッサと電子通信するメモリと、
前記メモリに記憶された命令と
を備え、前記命令は、
変調シーケンスの第１のセットを生成するために、シーケンスの順序付けされたセットにデータのセットを関連付けることと、
変調シーケンスの第２のセットを生成するために、変調シーケンスの前記第１のセット内の各シーケンスに定数を付加することと、
変調シーケンスの第３のセットを生成するために、直交シーケンスのセットに変調シーケンスの前記第２のセットの各々を関連付けることと、
変調シーケンスの第４のセットを生成するために、変調シーケンスの前記第３のセット内の各シーケンスのエレメントを廃棄すること、および、擬似ランダム２進シーケンスのセットからのシーケンスに変調シーケンスの前記第３のセット内の各シーケンスの残りのエレメントを関連付けることと、
変調シーケンスの前記第４のセットを備える信号を送信することと、
を行うために前記プロセッサによって実行可能である、装置。
［Ｃ１７］
変調シーケンスの前記第３のセットを生成するために、変調シーケンスの前記第２のセットの各々にアダマール変換を適用すること
を行うために実行可能である命令をさらに備える、Ｃ１６に記載の装置。
［Ｃ１８］
擬似ランダム２進シーケンスの前記セットは、最長シーケンスのセットを備える、Ｃ１６に記載の装置。
［Ｃ１９］
直交変調を使用する通信の方法であって、
擬似ランダム２進シーケンスのセットに対応する変調シーケンスの第１のセットを備える信号を受信することと、
変調シーケンスの第２のセットを生成するために、変調シーケンスの前記第１のセット内の各シーケンスに定数を付加することと、
変調シーケンスの第３のセットを生成するために、直交シーケンスのセットに変調シーケンスの前記第２のセットの各々を関連付けることと、
変調シーケンスの第４のセットを生成するために、変調シーケンスの前記第３のセット内の各シーケンスのエレメントを廃棄することと、
変調シーケンスの前記第４のセットに関連付けられたデータのセットを取り出すことと
を備える、方法。
［Ｃ２０］
変調シーケンスの前記第３のセットを生成するために、変調シーケンスの前記第２のセットの各々にアダマール変換を適用すること
をさらに備える、Ｃ１９に記載の方法。
［Ｃ２１］
擬似ランダム２進シーケンスの前記セットは、サイクリックシフト不変シーケンスのセットを備える、Ｃ１９に記載の方法。
［Ｃ２２］
擬似ランダム２進シーケンスの前記セットは、最長シーケンスのセットを備える、Ｃ１９に記載の方法。
［Ｃ２３］
前記受信された信号は、少なくとも１つのサイクリックプレフィックスを備える、Ｃ１９に記載の方法。
［Ｃ２４］
前記少なくとも１つのサイクリックプレフィックスを廃棄すること
をさらに備える、Ｃ２３に記載の方法。
［Ｃ２５］
前記受信された信号は、パイロット信号を備える、Ｃ１９に記載の方法。
［Ｃ２６］
前記パイロット信号を使用してチャネル品質を推定すること
をさらに備える、Ｃ２５に記載の方法。
［Ｃ２７］
前記パイロット信号を使用して周波数等化を適用すること
をさらに備える、Ｃ２５に記載の方法。
［Ｃ２８］
周波数等化を適用することは、巡回行列を使用することを備える、Ｃ２７に記載の方法。
［Ｃ２９］
前記信号は、１より多いアンテナを使用して受信される、Ｃ１９に記載の方法。
［Ｃ３０］
前記受信された信号は、ブロードキャスト信号である、Ｃ１９に記載の方法。